(57)【特許請求の範囲】
【請求項１】
送信信号を送信する車載側送信手段と、
前記送信信号に応答して送信されたＩＤコード信号を受信する車載側受信手段と、
受信した前記ＩＤコードに基づいて、車両のドアを施錠または解錠するドア施錠・解錠手段と、
を備えた車両と、
商品の決済を非接触で行う無線ＩＣタグと、
前記車両からの送信信号を受信する携帯側受信手段と、
前記車両にＩＤコードを送信する携帯側送信手段と、
前記携帯側受信手段が受信した送信信号に応答して、前記ＩＤコード信号を前記携帯側送信手段にて送信するコントローラと、
を実装した携帯機と、
からなる車両の乗車支援システムであって、
前記携帯機には、
決済した商品の内容に対する車両の乗車支援内容を記憶したテーブルと、
前記無線ＩＣタグが決済した内容を抽出する抽出手段と、
前記抽出した決済した商品情報に基づいて前記テーブルからその商品内容に対する乗車支援内容を読み出し、その読み出した乗車支援内容を乗車支援信号として、前記携帯側送信手段を介してＩＤコード信号に付加して前記車両に送信させる送信制御手段と、
を備え、
前記車両には、
前記各乗車支援内容の乗車支援信号に対する駆動する駆動手段を記憶したテーブルと、
前記車載側受信手段が受信したＩＤコード信号に付加された乗車支援信号を抽出する抽出手段と、
前記抽出した乗車支援信号に対する駆動手段を前記テーブルから読み出し、その読み出した駆動手段を、前記ＩＤコードに基づいて駆動させる支援制御手段と、
を備えたことを特徴とする車両の乗車支援システム。
【請求項２】
請求項１に記載の車両の乗車支援システムにおいて、
前記携帯機は、携帯電話機であることを特徴とする車両の乗車支援システム。
【請求項３】
請求項１または２に記載の車両の乗車支援システムにおいて、
前記無線ＩＣタグが決済した内容を抽出する抽出手段は、前記車両に乗車する直近の決済した商品情報を抽出することを特徴とする車両の乗車支援システム。
【請求項４】
請求項１から３のいずれかに記載の車両の乗車支援システムにおいて、
前記支援制御手段は、前記受信したＩＤコード信号のＩＤコードと前記車両毎に設けられたＩＤコードとが一致したとき、前記ドア施錠・解錠手段を駆動させるとともに、前記駆動手段を駆動させることを特徴とする車両の乗車支援システム。
【請求項５】
請求項１から４のいずれかに記載の車両の乗車支援システムにおいて、
前記乗車支援内容は、商品の決済内容に基づいて、前記車両の少なくとも１つのドアを開ける内容であって、前記駆動手段は、ドアの開閉動作を行うスライドドア駆動制御装置であることを特徴とする車両の乗車支援システム。
【請求項６】
請求項１から４のいずれかに記載の乗車支援システムにおいて、
前記乗車支援内容は、商品の決済内容に基づいて、前記車両の少なくとも１つのウィンドウを開ける内容であって、前記駆動手段は、ウィンドウの開閉動作を行うウィンドウ駆動制御装置であることを特徴とする車両の乗車支援システム。
【発明の詳細な説明】
【技術分野】
【０００１】
本発明は、車両の乗車支援システムに関する。
【背景技術】
【０００２】
近年、自動車において基本性能や安全性はもとより、利便性の向上が求められている。そこで、こうした利便性の向上を目的として、ユーザが所持している電子キーとしての携帯機と車両に備えられた車載装置との間において自動的に無線通信を行い、該無線通信が成立することによってドアの解錠などを行う乗車支援システムが普及している。
【０００３】
詳述すると、車載装置は車両周辺にリクエスト信号を間欠的に送信する。そして、ユーザの所持している携帯機は、リクエスト信号を受信すると該リクエスト信号に応答して、携帯機に予め設定されたＩＤコードを含むＩＤコード信号を送信する。車載装置は、このＩＤコード信号を受信すると、車載装置に予め設定されたＩＤコードとＩＤコード信号に含まれるＩＤコードとの照合を行い、それらのＩＤコードが一致したときにドアを解錠したりする。すなわち、車載装置と携帯機との間において、自動的に無線通信を行い、その無線通信が成立することによって、自動的にドアを解錠する。従って、ユーザは、車両に近づいて、携帯機と車載装置との間で無線通信を成立させることによって、ドアを自動的に解錠することができる。その結果、従来のキーレスエントリシステムのように、電子キーを操作する必要がなくなり、より利便性が向上している。
【０００４】
ところで、最近では携帯電話機（以下、単に携帯電話という）の発達、普及は著しいものがあり、自動車に搭乗する者は、携帯電話を所持していることが一般的になってきている。また、携帯電話を電子キーシステムの電子キーとして利用することは技術的に可能であり、特許文献１のように、携帯電話の操作部を操作することによって、車両のドアを解施錠する考案もなされている。
【特許文献１】特開平１０−３１７７４８号公報
【発明の開示】
【発明が解決しようとする課題】
【０００５】
しかしながら、上述した方法では、ユーザは、ドアを解錠したあと、乗車するために必ずドアハンドルを操作しなければならない。従って、例えば、ユーザが買い物などをして両手に荷物を持っているようなシチュエーションであっても、ドアハンドルを操作しなければ乗車することができない。そして、ドアハンドルを操作するために荷物を持ち替えたりするとき、持っている荷物を落としてしまい、荷物を汚してしまったり、破損してしまったりする虞があった。
【０００６】
本発明の目的は、上記問題を解決するためになされたものであり、その目的は、電子決済機能を利用して、ユーザのシチュエーションを判断し、該シチュエーションに対応した乗車支援を行う乗車支援システムを提供することにある。
【課題を解決するための手段】
【０００７】
上記問題を解決するために、請求項１に記載の発明では、送信信号を送信する車載側送信手段と、前記送信信号に応答して送信されたＩＤコード信号を受信する車載側受信手段と、受信した前記ＩＤコードに基づいて、車両のドアを施錠または解錠するドア施錠・解錠手段と、を備えた車両と、商品の決済を非接触で行う無線ＩＣタグと、前記車両からの送信信号を受信する携帯側受信手段と、前記車両にＩＤコードを送信する携帯側送信手段と、前記携帯側受信手段が受信した送信信号に応答して、前記ＩＤコード信号を前記携帯
側送信手段にて送信するコントローラと、を実装した携帯機と、からなる車両の乗車支援システムであって、前記携帯機には、決済した商品の内容に対する車両の乗車支援内容を記憶したテーブルと、前記無線ＩＣタグが決済した内容を抽出する抽出手段と、前記抽出した決済した商品情報に基づいて前記テーブルからその商品内容に対する乗車支援内容を読み出し、その読み出した乗車支援内容を乗車支援信号として、前記携帯側送信手段を介してＩＤコード信号に付加して前記車両に送信させる送信制御手段と、を備え、前記車両には、前記各乗車支援内容の乗車支援信号に対する駆動する駆動手段を記憶したテーブルと、前記車載側受信手段が受信したＩＤコード信号に付加された乗車支援信号を抽出する抽出手段と、前記抽出した乗車支援信号に対する駆動手段を前記テーブルから読み出し、その読み出した駆動手段を、前記ＩＤコードに基づいて駆動させる支援制御手段と、を備えたことを要旨とする。
【０００８】
請求項１に記載の発明によれば、携帯機は、無線ＩＣタグを用いて電子決済すると、その決済情報に基づいて乗車支援内容を読み出し、該乗車支援内容を乗車支援信号としてＩＤコード信号に付加して車両に送信する。一方、車両は、携帯機からのＩＤコード信号を受信すると、ＩＤコード信号に含まれるＩＤコードに基づいて、ドアを解錠する。また、ＩＤコード信号に付加された乗車支援信号を抽出して、該乗車支援信号に基づいて駆動手段を読み出し、該駆動手段を駆動させる。
【０００９】
従って、ユーザは、携帯機の電子決済機能を利用して商品を決済すると、該決済情報に応じた乗車支援を受けることができる。その結果、利便性をより向上させることができる。
【００１０】
また、携帯機は、ＩＤコード信号に乗車支援信号を付加して車両に送信する。すなわち、ＩＤコードと乗車支援信号とを一度で送信することができる。従って、ユーザは、携帯機がＩＤコード信号を送信することによって、確実に乗車支援を受けることができる。
【００１１】
請求項２に記載の発明では、請求項１に記載の車両の乗車支援システムにおいて、前記携帯機は、携帯電話機であることを要旨とする。
請求項２に記載の発明によれば、携帯機は、携帯電話とした。従って、ユーザは携帯電話機の電子決済機能を利用して商品を決済すると、該決済情報に応じた乗車支援を受けることができる。その結果、利便性をより向上させることができる。
【００１２】
請求項３に記載の発明では、請求項１または２に記載の車両の乗車支援システムにおいて、前記無線ＩＣタグが決済した内容を抽出する抽出手段は、前記車両に乗車する直近の決済した商品情報を抽出することを要旨とする。
【００１３】
請求項３に記載の発明によれば、車両に乗車する直近の決済情報を抽出する。そして、該決済情報に基づいて乗車支援内容を読み出す。従って、ユーザが乗車する直前の状況に応じて、好適な乗車支援内容を抽出することができる。その結果、ユーザのその時々の状況に応じて乗車支援がなされ、乗車する際の利便性をより向上させることができる。
【００１４】
請求項４に記載の発明では、請求項１から３のいずれかに記載の車両の乗車支援システムにおいて、前記支援制御手段は、前記受信したＩＤコード信号のＩＤコードと前記車両毎に設けられたＩＤコードとが一致したとき、前記ドア施錠・解錠手段を駆動させるとともに、前記駆動手段を駆動させることを要旨とする。
【００１５】
請求項４に記載の発明によれば、支援制御手段は、受信したＩＤコードと前記車両毎に設けられたＩＤコードとが一致したとき、ドアを解錠するとともに、乗車支援内容に応じた駆動手段を駆動させる。すなわち、支援制御手段は、ＩＤコードが一致しないとドアの
解錠も乗車支援も行わない。従って、従来の電子キーシステムと同じセキュリティとすることができる。
【００１６】
請求項５に記載の発明では、請求項１から４のいずれかに記載の車両の乗車支援システムにおいて、前記支援制御手段は、前記受信したＩＤコード信号のＩＤコードと前記車両毎に設けられたＩＤコードが一致したとき、前記ドア施錠・解錠手段を駆動させるとともに、前記駆動手段を駆動させることを要旨とする。
【００１７】
請求項５に記載の発明によれば、例えば、ユーザが自身でドアを開けられないほど商品の数量が多い商品の決済内容のとき、スライドドア駆動制御装置がドアを開ける。従って、ユーザは、自身がドアを開けることなくドアが開くので、荷物を車内に置いたり、そのまま乗車したりすることができるので、容易に車両に乗車することができる。
【００１８】
請求項６に記載の発明では、請求項１から４のいずれかに記載の乗車支援システムにおいて、前記乗車支援内容は、商品の決済内容に基づいて、前記車両の少なくとも１つのウィンドウを開ける内容であって、前記駆動手段は、ウィンドウの開閉動作を行うウィンドウ駆動制御装置であることを要旨とする。
【００１９】
請求項６に記載の発明によれば、例えば、中華料理店で餃子（ニンニク料理）を注文し食したという商品の決済内容のとき、事前にウィンドウ駆動制御装置がウィンドウを開ける。従って、ユーザは、自身がウィンドウを開けることなく、車内を換気することができる。
【発明を実施するための最良の形態】
【００２０】
以下、本発明を具体化した一実施形態を図１〜図３に従って説明する。図１は、本実施形態の乗車支援システム１の構成を示すブロック図である。
図１において、乗車支援システム１は、ユーザが所持している携帯機としての携帯電話２と、車両としての車両３に搭載された乗車支援装置３０とを備えている。
【００２１】
まず、携帯電話２の構成の構成について説明する。
携帯電話２は、操作部１１、表示部１２、無線部１３、スピーカ（受話器）１５、ＤＡ変換器１６、マイク（送話器）１７、ＡＤ変換器１８、ＩＣタグ１９、送信部２１、受信部２３、制御回路部２５を有している。
【００２２】
操作部１１は、電話をかけたり電話を受けたり、メールの送受といった各種操作を行うときに操作されるダイヤルボタン及び各種機能ボタンを有しており、各ボタンの操作に基づくボタン信号を制御回路部２５に出力する。
【００２３】
表示部１２は、ＬＣＤ等のデバイスからなり、制御回路部２５の制御信号に基づいて、その画面上に、例えば、電話番号、メールやその他各種画像を表示する。
無線部１３は、アンテナ１４を有しており、制御回路部２５からの電話やメールのための送信信号をアンテナ１４を介して出力し、図示しない携帯電話網へと送信する。また、無線部１３は、該携帯電話網からの電話やメールのための送信信号をアンテナ１４を介して受信し、制御回路部２５へ出力する。
【００２４】
スピーカ（受話器）１５は、ＤＡ変換器１６を介して制御回路部２５に接続されている。ＤＡ変換器１６は、制御回路部２５から入力されるデジタル信号をアナログ信号に変換して、スピーカ１５に出力する。スピーカ１５は、該アナログ信号に基づいて音声や音楽などを出力する。
【００２５】
マイク（送話器）１７は、ＡＤ変換器１８を介して制御回路部２５に接続されている。マイク１７から入力された音声信号は、ＡＤ変換器１８にてデジタル信号に変換されて制御回路部２５に出力される。
【００２６】
無線ＩＣタグとしてのＩＣタグ１９は、アンテナ２０を有している。ＩＣタグ１９は、アンテナ２０を介して、店頭などに設置された端末機との間で、非接触で無線通信を行うことができるとともに、該無線通信によって商品の料金を精算することができる電子決済機能を有している。電子決済機能とは、入金機などを用いてＩＣタグ１９に予め入金（チャージ）しておく。そして、商品を購入するときに、携帯電話２を端末機に近づけて、ＩＣタグ１９と端末機との間で無線通信を行い、入金額（チャージ金額）から購入金額を差し引くことによって料金を精算するシステムである。
【００２７】
ＩＣタグ１９は、電子決済を行うと決済後の入金額（チャージ金額）や購入した商品などを決済情報として記憶している。なお、決済情報には、購入した商品の価格や商品名、数量や購入先なども含まれている。
【００２８】
携帯側送信手段としての送信部２１は、アンテナ２２を有しており、同アンテナ２２を介して、制御回路部２５から入力された車両３のドア等の解錠・施錠のためのＩＤコード信号などのデータ信号を所定周波数の電波に変調して外部に送信する。
【００２９】
携帯側受信手段としての受信部２３は、アンテナ２４を有しており、同アンテナ２４を介して車両３に搭載された乗車支援装置３０の送信回路３１からのリクエスト信号を受信すると、該リクエスト信号をパルス信号に復調して、制御回路部２５に出力する。
【００３０】
制御回路部２５は、ＣＰＵ２５ａ、携帯電話２の本体プログラムや各種アプリケーションソフトを記憶したＲＯＭ２５ｂ、ＲＡＭ２５ｃなどからなるコンピュータユニットである。また、制御回路部２５は、不揮発性メモリよりなる、乗車支援内容を記憶したテーブルとしてのテーブルメモリ２６を備えている。
【００３１】
テーブルメモリ２６は、前記ＩＣタグ１９から抽出した決済情報に対する車両３に乗車する際の各種乗車支援内容を記憶している。ここで、乗車支援内容として、例えば、ドアの解錠後に該ドアを開ける、運転席のウィンドウを開けるといったことが挙げられる。つまり、決済情報が、購入した商品が多い場合（予め定めた数量以上）には、ドアの解錠後に該ドアを開けるといった支援内容である。また、決済情報が、中華料理店で餃子（ニンニク料理）を注文した場合には、ドアの解錠とともに運転席のウィンドウを開けるといった支援内容である。
【００３２】
また、テーブルメモリ２６には、車両３に搭載した乗車支援装置３０との無線通信時使用される予め定めた固有のＩＤコードが記憶されている。
制御回路部２５（ＣＰＵ２５ａ）は、ＲＯＭ２５ｂに記憶したメール・通話プログラムに基づいて、操作部１１、表示部１２、無線部１３等を統括制御して、携帯電話網を介して他の携帯電話網の間で通話及びメールを行うための処理を実行する。
【００３３】
また、抽出手段としての制御回路部２５（ＣＰＵ２５ａ）は、ＲＯＭ２５ｂに記憶した決済抽出プログラムに基づいて、ＩＣタグ１９との間で、データ授受を行う。詳述すると、制御回路部２５（ＣＰＵ２５ａ）は、ＩＣタグ１９を使って商品の料金を精算（決済）する度毎に、ＩＣタグ１９からそのときの決済情報（購入した商品の価格や商品名、数量や購入先等）を抽出し、ＲＡＭ２５ｃに一時記憶するようになっている。
【００３４】
さらに、コントローラ及び送信制御手段としての制御回路部２５（ＣＰＵ２５ａ）は、
受信部２３を介して乗車支援装置３０からのリクエスト信号が入力されると、ＲＯＭ２５ｂに記憶した乗車支援プログラムに基づいて、テーブルメモリ２６に記憶されているＩＤコードをＩＤコード信号として送信部２１を介して車両３に送信する。このとき、制御回路部２５（ＣＰＵ２５ａ）は、ＩＤコード信号を送信するとき、あわせて乗車支援信号を付加して送信するようになっている。
【００３５】
詳述すると、乗車支援装置３０からのリクエスト信号が入力されると、制御回路部２５（ＣＰＵ２５ａ）は、ＲＡＭ２５ｃに一時記憶した決済情報のうち直近の決済情報を読み出す。制御回路部２５（ＣＰＵ２５ａ）は読み出した直近の決済情報に対する、車両３に乗車する際の乗車支援内容をテーブルメモリ２６から割り出す。そして、制御回路部２５（ＣＰＵ２５ａ）は、直近の決済情報に対する乗車支援内容を読み出すと、その読み出した内容に対応した乗車支援信号を生成し、前記ＩＤコード信号に乗車支援信号を付加して送信出力する。
【００３６】
次に、車両３の構成について図１に従って説明する。
車両３は、本実施形態では図１のように、乗車支援装置３０、ドアロック駆動制御装置３５、スライドドア駆動制御装置３６、ウィンドウ駆動制御装置３７を有している。
【００３７】
乗車支援装置３０は、ＣＰＵ３８ａ、制御プログラムや各種アプリケーションを記憶したＲＯＭ３８ｂ、ＲＡＭ３８ｃなどからなるコンピュータユニットである通信制御回路部３８と、通信制御回路部３８に電気的に接続された送信回路３１及び受信回路３３と、を有している。
【００３８】
車載側送信手段としての送信回路３１は、アンテナ３２を有し、同アンテナ３２を介して通信制御回路部３８から間欠的に入力されるリクエスト信号を送信している。アンテナ３２は、車両３のドア付近に設けられ、該アンテナ３２から送信されるリクエスト信号が、図２に示すように、車両３のドア付近から、約１メートル程度の車外通信領域Ａ１において、携帯電話２の受信部２３が受信可能となる強度でリクエスト信号を送信している。
【００３９】
車載側受信手段としての受信回路３３は、アンテナ３４を有し、同アンテナ３４を介して、携帯電話２からのＩＤコード信号（乗車支援信号を含む）を受信して、パルス信号に復調して通信制御回路部３８に出力する。
【００４０】
ドア施錠・解錠手段としてのドアロック駆動制御装置３５は、通信制御回路部３８に電気的に接続され、通信制御回路部３８からの駆動制御信号に基づいて、ドアの解錠及び施錠動作を行う。
【００４１】
駆動手段としてのスライドドア駆動制御装置３６は、通信制御回路部３８に電気的に接続され、通信制御回路部３８からの駆動制御信号に基づいて、ドアの開閉動作を行う。
駆動手段としてのウィンドウ駆動制御装置３７は、通信制御回路部３８に電気的に接続され、通信制御回路部３８からの駆動信号に基づいて、例えば、運転席のウィンドウを開閉可能となっている。
【００４２】
通信制御回路部３８は、駆動手段を記憶したテーブルとしてのテーブルメモリ３９を有している。テーブルメモリ３９は、乗車支援装置３０に予め設定された固有のＩＤコードが記憶されている。また、テーブルメモリ３９には、乗車支援信号（乗車支援内容）に対するスライドドア駆動制御装置３６またはウィンドウ駆動制御装置３７の駆動の有無を記憶している。テーブルメモリ３９には、例えば、運転席のウィンドウを開けるといった支援内容の乗車支援信号ならば、ウィンドウ駆動制御装置３７を駆動させるという内容が記憶されているとともに、ドアの解錠後に後部座席のドアの開けるといった支援内容の乗車
支援内容ならば、スライドドア駆動制御装置３６を駆動させるという内容が記憶されている。
【００４３】
通信制御回路部３８（ＣＰＵ３８ａ）は、リクエスト信号に応答して、携帯電話２から送信されたＩＤコード信号が受信回路３３から入力されると、該ＩＤコード信号に含まれるＩＤコードとテーブルメモリ３９に予め設定されたＩＤコードとを照合する。そして、ＩＤコード信号に含まれるＩＤコードがテーブルメモリ３９に予め設定されたＩＤコードと一致すると、通信制御回路部３８（ＣＰＵ３８ａ）は、ドアロック駆動制御装置３５に対してドアを解錠させるための駆動制御信号を出力する。
【００４４】
また、抽出手段としての通信制御回路部３８（ＣＰＵ３９ａ）は、ＩＤコード信号に乗車支援信号が付加されていると、該乗車支援信号を抽出する。そして、支援制御手段としての通信制御回路部３８（ＣＰＵ３８ａ）は、テーブルメモリ３９に記憶した乗車支援信号に対するスライドドア駆動制御装置３６またはウィンドウ駆動制御装置３７の駆動の有無を読み出し、対応する駆動装置に対して駆動制御信号を出力する。
【００４５】
上記のように構成したときに、携帯電話２と乗車支援装置３０との通信様態を図３に従って説明する。図３は、携帯電話２と乗車支援装置３０との通信様態を示すチャート図である。
【００４６】
図３のように、ステップＳ１において、ユーザが、ＩＣタグ１９の電子決済機能を利用して商品の料金を精算（決済）すると、ＩＣタグ１９は、決済する度毎にその決済情報を記憶する。
【００４７】
ステップＳ２において、制御回路部２５（ＣＰＵ２５ａ）は、ＩＣタグ１９が決済する度毎に、その決済情報を抽出してＲＡＭ２５ｃに一時記憶する。
ステップＳ３において、制御回路部２５（ＣＰＵ２５ａ）は、乗車支援装置３０からのリクエスト信号が入力されると、ＲＡＭ２５ｃから直近の決済情報を読み出し、その読み出した決済情報に対する乗車支援内容をテーブルメモリ２６から割り出す。
【００４８】
ステップＳ３で乗車支援内容が選択されると（ステップ４：ＹＥＳ）、制御回路部２５（ＣＰＵ２５ａ）は、乗車支援内容に対応する乗車支援信号を生成する。そして、テーブルメモリ２６に予め設定された固有のＩＤコードを含んだＩＤコード信号に乗車支援信号を付加して（ステップＳ５）送信部２１に出力する。
【００４９】
ステップＳ３で乗車支援内容が選択されないと（ステップＳ４：ＮＯ）、制御回路部２５（ＣＰＵ２５ａ）は、テーブルメモリ２６に予め設定された固有のＩＤコードを含んだＩＤコード信号を送信部２１に出力する。
【００５０】
ステップＳ６において、送信部２１は、制御回路部２５からのＩＤコード信号を所定周波数の電波に変調して外部に送信する。
ステップＳ７において、乗車支援装置３０の受信回路３３は、携帯電話２からのＩＤコード信号を受信すると、該ＩＤコード信号をパルス信号に変調して通信制御回路部３８に出力する。通信制御回路部３８（ＣＰＵ３８ａ）は、テーブルメモリ３９が記憶しているＩＤコードと受信したＩＤコード信号に含まれるＩＤコードとを照合する。そして、ＩＤコードが一致したとき、（ステップＳ８：ＹＥＳ）、通信制御回路部３８（ＣＰＵ３８ａ）は、ドアロック駆動制御装置３５に駆動制御信号を出力して、ドアを解錠する（ステップＳ９）。一方、ＩＤコードが一致しないときは（ステップＳ８：ＮＯ）、一切の乗車支援を行わずに乗車支援システムを終了する。
【００５１】
ドアの解錠が行われると（ステップＳ９）、通信制御回路部３８（ＣＰＵ３８ａ）は、携帯電話２からのＩＤコード信号に乗車支援信号が付加されているかどうか判断する（ステップＳ１０）。そして、ＩＤコード信号に乗車支援信号が付加されていないとき（ステップＳ１０：ＮＯ）、通信制御回路部３８は、乗車支援システムを終了する。
【００５２】
一方、ＩＤコード信号に乗車支援信号が付加されているとき（ステップＳ１０：ＹＥＳ）、通信制御回路部３８（ＣＰＵ３８ａ）は、該乗車支援信号に基づいて、スライドドア駆動制御装置３６またはウィンドウ駆動制御装置３７の駆動の有無を読み出す。そして、対応する駆動制御装置に駆動制御信号を出力して、例えば、ドアを開けたり、ウィンドウを開けたりといった乗車支援を実行する（ステップＳ１１）。
【００５３】
上記実施形態によれば以下のような効果を得ることができる。
（１）上記実施形態によれば、制御回路部２５（ＣＰＵ２５ａ）は、ＩＣタグ１９によって電子決済が行われると、電子決済が行われる度毎に、該電子決済の決済情報をＲＡＭ２５ｃに記憶した。そして、制御回路部２５（ＣＰＵ２５ａ）は、乗車支援装置３０からのリクエスト信号が入力されると、ＲＡＭ２５ｃに記憶した直近の決済情報に基づいて、テーブルメモリ２６から乗車支援内容を割り出した。そして、乗車支援内容を割り出すと、該乗車支援内容を乗車支援信号としてＩＤコード信号に付加して乗車支援装置３０に送信した。
【００５４】
乗車支援装置３０の通信制御回路部３８（ＣＰＵ３８ａ）は、携帯電話２からのＩＤコード信号が入力されると、ＩＤコード信号に含まれるＩＤコードとテーブルメモリ３９に予め設定しているＩＤコードとを照合する。そして、それらのＩＤコードが一致すると、ドアロック駆動制御装置３５に駆動制御信号を出力してドアを解錠する。また、ＩＤコード信号に乗車支援信号が付加されているとき、該乗車支援信号に基づいて、スライドドア駆動制御装置３６やウィンドウ駆動制御装置３７に駆動制御信号を出力して、ドアを開けたり、ウィンドウを開けたりして、ユーザの乗車支援を行った。
【００５５】
上記のように構成することによって、ユーザは、携帯電話２の電子決済機能を利用して商品を決済すると、その決済情報に対応した乗車支援を受けることができる。
例えば、携帯電話２の電子決済機能を利用して、予め定めた数量以上の商品を購入すると、制御回路部２５（ＣＰＵ２５ａ）は、その決済情報からドアを開けるといった乗車支援内容を割り出す。従って、ユーザは、車両３に近づくと自動的にドアが解錠されるとともにドアが開くので、荷物を持ったまま乗車することも荷物を車内に載置することも容易に行うことができる。その結果、利便性をより向上させることができる。
【００５６】
また、例えば、中華料理店で餃子（ニンニク料理）を注文し食したときには、制御回路部２５（ＣＰＵ２５ａ）は、その決済情報からウィンドウを開けるといった乗車支援内容を割り出す。従って、ユーザは、車両３に近づくと自動的にドアが解錠されるとともにウィンドウが開くので、車内を換気することができる。その結果、利便性をより向上させることができる。
【００５７】
（２）上記実施形態によれば、携帯電話２から車両３に送信される乗車支援信号は、ＩＤコード信号に付加して送信した。すなわち、ＩＤコード信号を送信すると、ＩＤコードと乗車支援信号とを送信することができる。このとき、乗車支援装置３０は、ＩＤコード信号に含まれるＩＤコードとテーブルメモリ３９に予め設定されたＩＤコードとが一致すると乗車支援を行う。従って、ユーザは、携帯電話２が乗車支援装置３０にＩＤコード信号を送信することで、確実に乗車支援を受けることができる。
【００５８】
（３）上記実施形態によれば、ＩＤコード信号に含まれるＩＤコードとテーブルメモリ
３９に予め設定されたＩＤコードとが一致したときに、ドアロック駆動制御装置３５を駆動制御してドアを解錠するとともに乗車支援を行った。従って、ＩＤコードが一致しなければ車両３のドアが解錠されることはなく、また、乗車支援を行うこともないので、従来の電子キーシステムと同じセキュリティとすることができる。
【００５９】
尚、上記実施形態は以下のように変更してもよい。
・上記実施形態では、制御回路部２５は、リクエスト信号が入力された後に、乗車支援内容を決定した。これに限らず、制御回路部２５は、リクエスト信号が入力される前、すなわち、決済するとすぐに、乗車支援内容を抽出して乗車支援信号を生成し、ＩＤコード信号に付加しておいてもよい。これによれば、決済直後に乗車支援内容が決定するので、該乗車支援内容を携帯電話２の表示部１２に表示したりして、ユーザが乗車支援内容を確認することができる。
・上記実施形態では、電子決済機能を備えた携帯電話２に具体化した。これに限らず、電子キーとしての機能と、電子決済機能と、制御部とを備えた装置あればよいので、例えば、ＰＤＡ（Ｐｅｒｓｏｎａｌ  Ｄｉｇｉｔａｌ  Ａｓｓｉｓｔａｎｔ）などの携帯情報端末などの携帯機に具体化してもよい。
・上記実施形態では、乗車支援装置３０には、スライドドア駆動制御装置３６とウィンドウ駆動制御装置３７とを接続した。これに限らず、駆動手段としてのトランクルーム駆動制御装置を接続してトランクルームを開放させてもよい。
・上記実施形態では、車両３に乗車支援システムを具体化した。これに限らず、住宅の玄関用ドアなどに具体化してもよい。
【図面の簡単な説明】
【００６０】
【図１】本実施形態の乗車支援システムの構成を表すブロック図。
【図２】本実施形態のリクエスト信号の有効範囲を示した平面図。
【図３】本実施形態の携帯電話と車両との通信様態を示すチャート図。
【符号の説明】
【００６１】
Ａ１…車外通信領域、１…乗車支援システム、２…携帯電話、３…車両、１１…操作部、１２…表示部、１３…無線部、１４…アンテナ、１５…スピーカ、１６…ＤＡ変換器、１７…マイク、１８…ＡＤ変換器、１９…ＩＣタグ、２０…アンテナ、２１…送信部、２２…アンテナ、２３…受信部、２４…アンテナ、２５…制御回路部、２５ａ…ＣＰＵ、２５ｂ…ＲＯＭ，２５ｃ…ＲＡＭ、２６…テーブルメモリ、３０…車載装置、３１…送信回路、３２…アンテナ、３３…受信回路、３４…アンテナ、３５…ドアロック駆動制御装置、３６…スライドドア駆動制御装置、３７…ウィンドウ駆動制御装置、３８…通信制御回路部、３８ａ…ＣＰＵ，３８ｂ…ＲＯＭ、３８ｃ…ＲＡＭ、３９…テーブルメモリ。
【図１】
0004949952.tif 000002
【図２】
0004949952.tif 000003
【図３】
0004949952.tif 000004